(57)【要約】      （修正有）【課題】野菜等を育てる畝にマルチシートを被設した後、マルチシート苗等を移植する穴をマルチシートにあける器具を提供する。【解決手段】長柄部１を有する金属製円筒部２の底部より上方向に、底部中空部を確保する状態で密封固定蓋を有し、その上に炭火を載置して底部に位置する輪状円周縁部６をマルチシートに載置することでマルチシートを輪状に焼き切ることが可能なマルチシート穴あけ器を提供する。【選択図】図１
0003129766.tif 000002
【実用新案登録請求の範囲】
【請求項１】
畝に被設したマルチシートに対し、長柄部（１）を側面に有する金属製円筒部（２）の底部より上方向に対し、底部中空部（３）を確保すべく金属製円筒部（２）の下端部内に位置する金属製の密封固定蓋（４）を有し、密封固定蓋（４）より上部に位置する金属製円筒部（２）の側面に適数の風穴孔（５）を有し、金属製円筒部（２）の底部に位置する輪状円周縁部（６）がマルチシートに接地可能となるマルチシート穴あけ器
【考案の詳細な説明】
【技術分野】
【０００１】  家庭菜園等で雑草を生えにくくする目的で、畝にマルチシートを被う方法が広範に普及しているが、被覆後、種、球根、苗等を直接畝の土壌に植え込むため、改めて必要面積部のみマルチシートに多数の穴を開口しなければならない。その手段としてマルチシートの一部を排除する必要がある。
【背景技術】
【０００２】  マルチシートに多数の穴を開口する技術としては、特許公開第２００６−１４６４６号のように移植ごて自体をマルチシートに押圧して切り取ることで開口部を形成する技術がある。【０００３】  また底部にマルチシートを切断可能な刃形を有する円筒部を形成し、その上部に把手となる棒状の柄部を有することで、上方向から下方向へ押し込むように力を加え、又は回転させるように力を加えることでマルチシートを切断し、開口部を形成する技術が公知として存在する。【０００４】  更に特許開平８−２８９６７２のように上部に把手となる棒状の柄部を有し、その下端部に、底部に刃形を有する円筒部を形成し、かつ柄部下端部と連続して形成される板部を有し、板部は円筒部内に貫入しており、上方向から下方向へ押圧することでマルチシートを切断かつその下の土を板部にて下方向へ押圧することが可能な技術も存在する。
【考案の開示】
【考案が解決しようとする課題】
【０００５】  畝にマルチシートを覆い、種、球根、苗等を直接畝の土壌に植え込むための必要面積部のみマルチシートに穴を開口する方法は、菜園内の雑草を生えにくくするための効果的な手段であり、かなり広範に普及している。【０００６】  ところで農作業は一般的には重労働であり、なるべく負担を減らすべく手段が考案されるべきである。【０００７】  マルチシートを開口する穴の数は多数必要となるため、その作業もかなりの負担となるのは自明であり、かつ作業時間の短縮、切り取られたマルチシートの完全除去の方法が課題となる。【０００８】  そこでひとつの穴を開口する作業として負荷を減らす必要が生じるが、特許公開第２００６−１４６４６号のように移植ごてでマルチシートを押圧し、ひとつず切り取ることで開口部を形成するためには、しゃがみこんでの作業姿勢をとらざるを得ず、腰等に負担がかかることになりかつマルチシートを円状等に切り取る力も必要とされ、これまた負担となる。【０００９】  また特許開平８−２８９６７２のように上部に把手となる棒状の柄部を有し、その下端部に、底部に刃形を有する円筒部を形成するマルチシート切断型用具では、腰をかがめる作業姿勢はとらないが、上方向から下方向へ垂直に押圧、または回転押圧しなければならず、押圧にかける力、及びマルチシートを完全に切り取るための畝面に対する均一な力の調整が必要とされ、身体的精神的に負担がかかることは事実である。【００１０】  更に、その円筒部を上方向から下方向へ垂直に押圧する方法では切断されたマルチシートが畝上に残存し、そのため切り取られたマルチシートを拾い上げる作業が残り、かつ切り取られたマルチシートの一部が畝にめり込む状態で残ることもあり、残存マルチシートをあらためて拾い上げる等の作業も必要で有り、しかもマルチシートで覆われた畝を底部に刃形を有する円筒部で直接押圧することで、その刃形に土が付着してしまうため、その都度付着した土を除去しなければならず、切断作業の中断及び土除去の余分な作業が負荷されてしまうことになる。【００１１】  以上のごとく畝に覆われたマルチシートに対し多数の穴を開口する際、作業効率をいかにあげつつ、作業者の身体的負担をいかに軽減し、作業工程をいかに減少させ、かつ切り取られたマルチシートの残部が畝に残らないようすることが重要な課題となる。
【課題を解決するための手段】
【００１２】  本考案は、金属製円筒部を有し、金属製円筒部の下端部からやや上部に密封固定蓋を設けることで、密封固定蓋上方向に大部分の容積を有する中空部と、密封固定蓋下方向にわずかな容積を有する中空部を分離して形成し、密封固定蓋上方向に位置する金属製円筒部側面に風穴孔を適数設け、かつ金属製円筒部側面に把手可能な長柄部を形成している。【００１３】  密封固定蓋上方向接面に燃焼状態の炭火を載置させ、その燃焼熱が金属製円筒部の底部の輪状円周縁部に伝導した段階で、畝を覆うマルチシートの開口予定部に金属製円筒部の底部に位置する輪状円周縁部を載置することで課題を解決することになる。
【考案の効果】
【００１４】  本考案の従来の公知技術との差異は、畝に覆われたマルチシートに孔を空けるに際して、上方向から下方向へ垂直に押圧してマルチシートを切断する方法は採用せず、金属製円筒部内に設けた密封固定蓋上方向接面に燃焼状態の炭火を載置させ、その燃焼熱が金属製円筒部の底部に位置する輪状円周縁部に伝導した段階で、畝を覆うマルチシートに金属製円筒部の底部に位置する輪状円周縁部を載置させると、瞬時にマルチシートを輪状に焼ききることで、マルチシートに穴の開口部を形成されるのである。また焼け残った残留マルチシートは金属製円筒部の底部上方向に位置する密封固定蓋の下方向にわずかな容積を有する中空部に張付されることで、残留マルチシートを拾い集める余分な作業工程は除外されることにもなる。【００１５】  つまり畝に向かって上方向から力を入れる必要もなく、移植ごてを用いる際にしゃがみこむ姿勢を確保するごとく身体的負担は軽減され、長柄部を持って金属製円筒部の底部に位置する輪状円周縁部をマルチシートに載置するのみで、マルチシートに穴の開口部を簡単に形成することが可能となるため、作業者の身体的負担は大幅に軽減され、かつ作業効率も上昇することになる。【００１６】  マルチシートに穴の開口部を形成するのは、種、球根、苗等を直接畝の土壌に植え込むためであり、そのため多数の穴を必要とするが、本考案では繰り返し行われる穴を開ける作業を効率的かつ身体的負担も最小限とし、作業後マルチシートの残留物もなく、完全に穴の開口部作業を完了することができる。また畝自体に上方向から力を加えることで、畝土を圧縮することもなく、スムーズに種、球根、苗等を直接畝の土壌に植え込む作業工程に移ることが出来るのである。
【考案を実施するための最良の形態】
【００１７】  先ず、適量の炭の火起しをするが、本考案のマルチシート穴あけ器内に設けた密封固定蓋上に適量の炭を載置し、ガスバーナー等で火起しをするかあるいは他の場所で火起しした後密封固定蓋上に載置する。尚本体の密封固定蓋上の側面には風穴孔が設けてあるため、炭の火起し自体も効率的に実施可能である。【００１８】  本体は金属製のため熱伝導率がよく、炭火の熱は金属性円筒の底部に位置する輪状円周縁部に伝導しすぐに高熱状態となる。【００１９】  次に長柄部をもって畝に覆われているマルチシートの上面に金属製円筒部の底部に位置する輪状円周縁部を載置する。ただし従来技術とは異なり、決して畝に押圧を加えることなくただ単に乗せるだけである。【００２０】  この段階で金属製円筒部の底部に位置する輪状円周縁部に接したマルチシートは高熱により瞬時に焼かれ、残ったマルチシートの一部は金属製円筒部の底部に確保されている中空部に付着した状態となり、畝上にはきれいなマルチシートの穴の開口部が形成され、焼かれたマルチシートの残存物も殆ど残らないのである。【００２１】  以上のごとくマルチシートに対し、上方向から下方向へ押圧を加えるごとく余分な負荷をかけることなく、金属製円筒部の底部に位置する輪状円周縁部をただ載置するのみで簡単にマルチシートの穴の開口部が瞬時にして一箇所形成されるため、身体的に疲労することなくかつ効率的に直ちに次から次へとマルチシートの穴の開口部の形成に取り掛かることが可能である。
【実施例】
【００２２】  図１図４を参照して、本考案の本体は金属製円筒部（２）であり、金属製円筒部（２）の底部よりやや上方向に対し、底部中空部（３）を確保するよう金属製円筒部（２）下端部内に位置する密封固定蓋（４）を形成している。【００２３】  また、密封固定蓋（４）上面に炭を載置し、炭の火起しを効率的に実施するため、密封固定蓋（４）上方向に位置する金属製円筒部（２）の側面に適数の風穴孔（５）を設けている。【００２４】  図２を参照して、金属製円筒部（２）の底部には、輪状円周縁部（６）が形成され、本体の金属製円筒部（２）をマルチシートに載置させる段階では密封固定蓋（４）の下方向には底部中空部（３）が確保されているため、実際にマルチシートと接触接地するのは輪状円周縁部（６）のみである。【００２５】  また金属製円筒部（２）側面に手でもつことが可能な熱伝導率の低い長柄部（１）を有している。【００２６】  以上の特性を有することで、畝に対して押圧することなくただ単に本体の金属製円筒部（２）をマルチシートに載置するだけでマルチシートに穴の開口部を形成することが可能となるマルチシート穴あけ器を提供するものである。
【図面の簡単な説明】
【００２７】
【図１】  本考案の示す炭火の入った状態での部分内部斜面図
【図２】  本考案の示すマルチシート上に炭火の入った本体を載置させた側面図
【図３】  本考案の使用後のマルチシートに穴が形成された平面図
【図４】  本考案の示す本体の金属製円筒部の部分側断面図
【符号の説明】
【００２８】    １  長柄部
２  金属製円筒部
３  底部中空部
４  密封固定蓋
５  風穴孔
６  輪状円周縁部
【図１】
0003129766.tif 000003
【図２】
0003129766.tif 000004
【図３】
0003129766.tif 000005
【図４】
0003129766.tif 000006